(57)【要約】      （修正有）【課題】角度と寸法精度とが精密な井桁状の部材を製作する為の位置決め治具を提供する。【解決手段】治具基盤Ｊの前端部の下面に治具アングルの一辺を固着し、その治具アングルの曲がり上がる一辺と治具基盤の前端との離した間に下駄板ＧＦを固着させた下駄アングルＧＡを嵌め入れし、治具基盤に固着させた位置決めピンＰと治具基盤上に載せる角棒重しＫの重さとで治具基盤上に井桁状に載せる左鍵状平角棒ＨＫと右鍵状平角棒ＭＫと上アングルと下アングルとを井桁状に組み止めた状態で仮止め溶接又は溶接し、その後で角棒重しと下駄板を固着させた下駄アングルとを取り外し、その後で井桁状の部材の溶接仕上げをするようにした。【選択図】図６
0003232030.tif 000002
【実用新案登録請求の範囲】
【請求項１】
先端部分をコの字形に曲げた2本の平角棒の曲げた部分を治具基盤の前端部の左右双方それぞれの下側に配置する事で鍵状平角棒の長い部分は治具基盤上の左右双方に離して載せ、それら曲げた部分と曲げた部分との離した間に配置する治具アングルの一辺を治具基盤の前端部の下面に固着し、その治具アングルの曲がり上がる一辺と治具基盤の前端との間の離れた長さは鍵状平角棒の治具基盤の下側に位置する曲げた部分の長さと同じにし、治具基盤上の右側の右鍵状平角棒と左側の左鍵状平角棒との長い部分それぞれの側面を治具基盤上に突き出す2本ずつの位置決めピンに寄せ当てて配置し、それら2本ずつの位置決めピンと治具基盤上に載せる角棒重しとで左右双方それぞれの鍵状平角棒の長い部分の側面を挟み止めし、治具アングルより長い長さの下駄アングルの一辺を治具アングルの曲がり上がる一辺の上端に水平に載せ、載せた下駄アングルの曲がり下がる一辺は鍵状平角棒の曲がり下がる部分に当て、それら下駄アングルの2辺内と治具アングルの2辺内との囲いで生じる空間内の左右双方それぞれに下駄板を嵌め入れ、入れた2枚の下駄板を下駄アングルの2辺内に固着し、治具基盤
上の左鍵状平角棒と右鍵状平角棒との長い部分の前端部上それぞれには上アングルの両端部を載せ後ろ部分上それぞれには下アングルの両端部を載せ、その上アングルの曲げ上がる一辺は下駄アングルの曲げ下がる一辺に当て、その上アングルの治具基盤上に載る一辺の側面に角棒重しを寄せ当てる事で上アングルを位置止めし、下アングルは治具基盤上に突き出す2本の位置決めピンと治具基盤上に載せて寄せ当てる角棒重しとで挟んで位置止めし、前記のように左鍵状平角棒と右鍵状平角棒との長い部分の前端部上と後端部上とに上アングルと下アングルとの両端部それぞれを載せて井桁状に配置した状態で仮止め溶接又は溶接をし、そこで下駄アングルと角棒重しとを取り除き、そこで井桁状の部材を治具アングルの曲げ上がる一辺まで引き当てて上げ外し、外した井桁状の部材を溶接仕上げするようにした位置決め治具。
【考案の詳細な説明】
【技術分野】
【０００１】
本考案は、小旋回身体移動補助装置を構成する一部材を製作する為の位置決め治具
【背景技術】
【０００２】
小旋回身体移動補助装置を製作する数量が3セット以上の場合は位置決め治具を製作する
必要があります
【先行技術文献】
【特許文献】
【０００３】
【特許文献１】第3202552号
【特許文献２】第3216729号
【特許文献３】第3224699号
【特許文献４】第3229003号
【特許文献５】第3228903号
【特許文献６】特願2020−168898
【考案の概要】
【考案が解決しようとする課題】
【０００４】
小旋回身体移動補助装置を構成する部材の中で正確な角度と寸法精度とが求められる部材を位置決め治具を用いて容易に生産できるようにする。
【課題を解決するための手段】
【０００５】
上記目的を達成する為に、先端部分をコの字形に曲げた2本の鍵状平角棒の曲げた部分を治具基盤の前端部の左右双方それぞれの下側に配置する事で2本の鍵状平角棒の長い部分は治具基盤上の左側と右側とのそれぞれに離して配置し、それら曲げた部分と曲げた部分との離した間に配置する治具アングルの一辺は治具基盤の下面に固着させ曲げ上がる一辺と治具基盤の前端との間は離し、離した寸法は治具基盤の下側に位置する鍵状平角棒の曲げた下側の長さと同じ寸法にした。
【０００６】
治具基盤上の左鍵状平角棒と右鍵状平角棒との長い部分それぞれの側面を治具基盤上に突き出す2本ずつの位置決めピンに当てて配置し、当てた長い部分それぞれの側面とは反対側の側面に角棒重しを寄せ当てる事で週双方の鍵状平角棒の長い部分を挟み止めた。
【０００７】
治具アングルより長さの長い下駄アングルの一辺を治具アングルの曲げ上がる一辺の上端に水平に載せ、載せた下駄アングルの曲げ下がる一辺を鍵状平角棒の曲げ下がる部分の外面に当て、それら下駄アングルの２辺内と治具アングルの2辺内との囲いに生じる空間内の左右双方それぞれに下駄板を嵌め入れし、入れた2枚の下駄板を下駄アングルの2辺内に固着した。
【０００８】
治具基盤上の左鍵状平角棒と右鍵状平角棒との長い部分の前部分上それぞれには上アングルの両端部それぞれを載せ、さらに後ろ部分上それぞれには下アングルの両端部それぞれを載せ、載せた上アングルの曲がり上がる一辺は下駄アングルの曲がり下がる一辺に当て治具基盤上に載る上アングルの一辺の側面には角棒重しを寄せ当てて位置止めし、下アングルの側面には治具基盤上に突き出す2本の位置決めピンと治具基盤上に載せてよせ当てる角棒重しとで挟んで位置止めした。
【０００９】
上記のように治具基盤上に載る左鍵状平角棒上と右鍵状平角棒上との前端部と後端部とに上アングルと下アングルとの両端部それぞれを載せて井桁状に配置した状態で仮止め溶接又は溶接をし、そこで下駄アングルと角棒重しとを取り外し、そして井桁状の部材の前端部を図7のように治具アングルの曲げ上がる一辺に引き当てた後で治具基盤より上げて取り外し、その井桁状の部材を溶接仕上げするようにした位置決め治具。
【考案の効果】
【００１０】
位置決め治具を準備する事で井桁状の部材の角度や寸法の精度が良くなる。
【図面の簡単な説明】
【００１１】
【図１】小旋回身体移動機の全体の断面図
【図２】小旋回身体移動機上の斜視図
【図３】小旋回身体移動機の組み立て途中の斜視図
【図４】治具基盤に位置決めピンと治具アングルとを固着させた状態の斜視図
【図５】治具基盤上に鍵状平角棒を載せて下駄アングルで止めた状態の断面図
【図６】治具基盤上に鍵状平角棒を載せ下駄アングルと位置決めピンと角棒重しとで止め            た状態の斜視図
【図７】図6の状態から角棒重しと下駄アングルとを取り外した状態の断面図
【図８】治具基盤から井桁状の部材を外して溶接作業を終わらせた状態の斜視図
【考案を実施するための形態】
【００１２】
本考案の実施形態を説明する、先端部分をコの字形に曲げた2本の鍵状平角棒の曲げた部分を治具基盤Jの前端部の左右双方それぞれの下側に配置する事で2本の鍵状平角棒の長い部分は治具基盤上の左側と右側とのそれぞれに離れて位置し、それら左側の曲げた部分と右側の曲げた部分との間に配置する治具アングルJAの一辺は治具基盤Jの前端部の下面に固着させ曲げ上がる一辺と治具基盤Jの前端との間を離し、離した寸法は鍵状平角棒の曲げた下側の長さの寸法と同じにした。
【００１３】
曲げた箇所を治具基盤Jの左側と右側との前端に寄せ当てる左鍵状平角棒HKと右鍵状平角棒MKとの長い部分それぞれの側面を治具基盤J上に突き出す2本ずつの位置決めピンPに寄せ当てて配置し、それら2本ずつの位置決めピンPと治具基盤J上に置く角棒重しKとで左右双方の鍵状平角棒の長い部分を挟み止めた。
【００１４】
治具アングルJAより長さの長い下駄アングルGAの一辺を治具アングルJAの曲げ上がる一辺の上端に水平に載せ、載せた下駄アングルGAの曲げ下がる一辺は鍵状平角棒の曲げ下がる部分の外面に当て、それら下駄アングルGAの2辺内と治具アングルJAの2辺内との囲いで生じる空間内の左右双方それぞれに下駄板GFを嵌め入れし、入れた2枚の下駄板GFを下駄アングルGAの2辺内に固着した。
【００１５】
治具基盤J上に載せた左鍵状平角棒HKと右鍵状平角棒MKとの長い部分の前部分上それぞれに上アングルUAの両端部それぞれを載せ後ろ部分上それぞれには下アングルCAの両端部それぞれを載せ、その上アングルUAの曲げ上がる一辺を下駄アングルGAの曲げ下がる一辺に当てた状態にし、その上アングルUAの治具基盤J上に載せた一辺に角棒重しKを寄せ当てて上アングルUAを位置止めし、下アングルCAは治具基盤J上に突き出す2本の位置決めピンPと治具基盤J上に載せて寄せ当てる角棒重しKとで挟んで位置止めした。
【００１６】
上記のように左鍵状平角棒HKと右鍵状平角棒MKとの前端部上と後端部上とに上アングルUAと下アングルCAとを載せて井桁状に配置した状態で仮止め溶接又は溶接をし、そこで下駄アングルGAと角棒重しKとを取り外し、その井桁状の部材の前端部を治具アングルに引き当てて上方に上げ外したあと溶接仕上げするようにした位置決め治具。
【符号の説明】
【００１７】
J    治具基盤
JA  治具アングル
HK  左鍵状平角棒
MK  右鍵状平角棒
P    位置決めピン  
GA  下駄アングル
GF  下駄板
UA  上アングル
CA  下アングル
K    角棒重し
【図１】
0003232030.tif 000003
【図２】
0003232030.tif 000004
【図３】
0003232030.tif 000005
【図４】
0003232030.tif 000006
【図５】
0003232030.tif 000007
【図６】
0003232030.tif 000008
【図７】
0003232030.tif 000009
【図８】
0003232030.tif 000010